【事件の表示】
　特許第２９８０２３８号「修正テープの保持器」の請求項１、２に係る特許に対する特許異議の申立てについて、次のとおり決定する。
【結　論】
　訂正を認める。
　特許第２９８０２３８号の請求項１に係る特許を維持する。
【理　由】
１.手続の経緯
　特許第２９８０２３８号の請求項１、２に係る発明は、平成１０年６月１日に特許出願され、平成１１年９月１７日にその特許権の設定登録がされ、その後、株式会社トンボ鉛筆より特許異議の申立てがなされ、取消しの理由が通知され、その指定期間内である平成１３年１月２４日に訂正請求がなされたものである。
　
２.訂正の適否
2-1.訂正の内容
(1)訂正事項ａ
　特許請求の範囲の請求項１を次のとおり訂正する。
「【請求項１】所定テープが巻き取られる第１ロールおよび第２ロールと、前後の開口を通じて前後方向に開放されたケースと、上記前側の開口から突出できるテープガイドを備え、ロール設置部が形成されている胴体と、上記第１ロールと連結されて上記ロ一ル設置部に回動可能に設置された内接板と、上記第２ロールに連結されて上記ロ一ル設置部に回動可能に設置され、上記内接板に噛み合って上記内接板と同一の方向へ回転されるピニオンと、を具備する修正テープの保持器において、
　上記ケースには、上記前後の開口の間に、第１貫通溝と第２貫通溝が前後方向に並んで形成されており、上記胴体には、上記第１貫通溝に係止される第１突起と上記第２貫通溝に挿し込まれる第２突起とが形成されている弾性アームが形成されており、それにより、上記胴体は、所定距離で前後方向へ移動可能および上記ケースに着脱可能であり、
　上記ロール設置部の外周部には貫通孔が形成されており、上記内接板は上記ロ一ル設置部の一方の側面に設置され、上記貫通孔を通じて上記内接板の外周部は上記ロ一ル設置部の他方の側面に開放されており、上記ピニオンは上記ロール設置部の上記他方の側面に設置されており、上記テープガイドの後端部には、＋形状の溝または突起から成る第１結合部が形成されており、上記胴体の前端部には、＋形状の突起または溝から成り、上記第１結合部に係合可能な第２結合部が形成されており、それにより、上記テープガイドは所定角度回動させて着脱可能であることを特徴とする修正テープの保持器。」
(2)訂正事項ｂ
　特許請求の範囲の請求項２を削除する。
(3)訂正事項ｃ
　段落【０００９】の記載を以下のとおり訂正する。
「　【課題を解決するための手段】
　本発明の目的は、所定テープが巻き取られる第１ロールおよび第２ロールと、前後の開口を通じて前後方向に開放されたケースと、上記前側の開口から突出できるテープガイドを備え、ロール設置部が形成されている胴体と、上記第１ロールと連結されて上記ロ一ル設置部に回動可能に設置された内接板と、上記第２ロールに連結されて上記ロ一ル設置部に回動可能に設置され、上記内接板に噛み合って上記内接板と同一の方向へ回転されるピニオンと、を具備する修正テープの保持器において、
　上記ケースには、上記前後の開口の間に、第１貫通溝と第２貫通溝が前後方向に並んで形成されており、上記胴体には、上記第１貫通溝に係止される第１突起と上記第２貫通溝に挿し込まれる第２突起とが形成されている弾性アームが形成されており、それにより、上記胴体は、所定距離で前後方向へ移動可能および上記ケースに着脱可能であり、
　上記ロール設置部の外周部には貫通孔が形成されており、上記内接板は上記ロ一ル設置部の一方の側面に設置され、上記貫通孔を通じて上記内接板の外周部は上記ロ一ル設置部の他方の側面に開放されており、上記ピニオンは上記ロール設置部の上記他方の側面に設置されており、上記テープガイドの後端部には、＋形状の溝または突起から成る第１結合部が形成されており、上記胴体の前端部には、＋形状の突起または溝から成り、上記第１結合部に係合可能な第２結合部が形成されており、それにより、上記テープガイドは所定角度回動させて着脱可能であることを特徴とする修正テープの保持器により達成可能である。」
(4)訂正事項ｄ
　段落【００１２】の記載を削除する。
(5)訂正事項ｅ
　段落【００１６】の「このロール設置部２３４の周囲には」との記載を、「このロール設置部２３４の外周部には」と訂正する。
(6)訂正事項ｆ
　段落【００１９】の「内接板２４０の一側は」との記載を、「内接板２４０の外周部は」と訂正する。
　
2-2.訂正の目的の適否、新規事項の有無及び拡張・変更の存否
　上記訂正事項ａは、特許請求の範囲の請求項１において、
　「開口を通じて少なくとも一側が開放されたケースと、上記開口から突出できるテープガイドを備え、」を、「前後の開口を通じて前後方向に開放されたケースと、上記前側の開口から突出できるテープガイドを備え、」と訂正し、「上記ケースは、両側の開口を通じて前後方向へ開放され、一側には第１貫通溝と第２貫通溝が並んで形成されており、」を、「上記ケースには、上記前後の開口の間に、第１貫通溝と第２貫通溝が前後方向に並んで形成されており、」と訂正して、発明を特定する事項を明瞭にすると共に、
　「上記ロール設置部の外周部には貫通孔が形成されており、上記内接板は上記ロ一ル設置部の一方の側面に設置され、上記貫通孔を通じて上記内接板の外周部は上記ロ一ル設置部の他方の側面に開放されており、上記ピニオンは上記ロール設置部の上記他方の側面に設置されており、上記テープガイドの後端部には、＋形状の溝または突起から成る第１結合部が形成されており、上記胴体の前端部には、＋形状の突起または溝から成り、上記第１結合部に係合可能な第２結合部が形成されており、それにより、上記テープガイドは所定角度回動させて着脱可能である」点を付加して、発明を特定する事項を限定するものであるから、
　明りようでない記載の釈明及び特許請求の範囲の減縮を目的とするものである。
　上記訂正事項ｂは、特許請求の範囲の請求項２を削除するものであるから、特許請求の範囲の減縮を目的とするものである。
　上記訂正事項c〜fは、上記訂正事項a、bにより訂正された特許請求の範囲の記載と発明の詳細な説明の記載の整合を図るものであり、明りようでない記載の釈明を目的とするものである。
　また、上記訂正事項a〜fは、願書に添付した明細書又は図面に記載した事項の範囲内の訂正であり、特許請求の範囲を拡張し又は変更するものでもない。
　
2-3.むすび
　以上のとおりであるから、上記訂正は、特許法第１２０条の４第２項及び同条第３項において準用する特許法第１２６条第２項から第４項までの規定に適合するので、当該訂正を認める。
　
３.特許異議申し立て
3-1.申立ての理由の概要
　申立人株式会社トンボ鉛筆は、下記の証拠方法を提出し、
　特許明細書の請求項１に係る発明は、甲第１〜３号証に記載された発明に基いて、特許明細書の請求項２に係る発明は、甲第１〜４号証に記載された発明に基いて、それぞれ当業者が容易に発明をすることができたものであるから、特許法第２９条第２項の規定により特許を受けることができないものであり、特許明細書の請求項１、２に係る発明の特許は取り消されるべきものである旨、主張している。
　　　　　　　　　　　　　　　　記
・甲第１号証：特開平８−２６７９９２号公報
　　　　　　　（以下「刊行物１」という。）
・甲第２号証：実願平４−８４００３号（実開平６−６１８５８号）のＣＤ
　　　　　　　−ＲＯＭ
　　　　　　　（以下「刊行物２」という。）
・甲第３号証：米国特許第５，３４６，５８０号明細書
　　　　　　　（以下「刊行物３」という。）
・甲第４号証：特開平９−１２３６９０号公報
　　　　　　　（以下「刊行物４」という。）
　
3-2.本件の請求項１に係る発明
　上記「２.訂正の適否」で示したように上記訂正が認められるから、本件の請求項１に係る発明（以下、本件発明という。）は、上記訂正請求に係る訂正明細書の特許請求の範囲の請求項１に記載された事項により特定されるとおりのものである（上記「2-1.訂正の内容」の「(1)訂正事項ａ」参照。）。
　
3-3.刊行物（甲各号証）に記載された発明
　刊行物１には、
「修正塗料転写テープ３が巻き取られる供給リール４および巻取りリール５と、前後の開口を通じて前後方向に開放された本体部１３と、上記前側の開口６から突出できる転写ヘッド９を備え、基板１４と一体のカートリッジ体１５と、上記供給リール４と連結されて上記基板１４に回動可能に設置された供給リールギヤ１０と、上記巻取りリール５に連結されて上記基板１４に回動可能に設置され、上記供給リールギヤ１０に噛み合って上記供給リールギヤ１０と反対の方向へ回転される巻取りリールギヤ１１と、を具備する字消し具容器１において、
　上記本体部１３には係合段受部１７が形成され、カートリッジ体１５には係合段部１６が形成され、それにより、上記カートリッジ体１５は、上記本体部１３に着脱可能であり、
　転写ヘッド９は、基板１４の先端部側に直交して接続固定される転写ヘッド支持部材１８に支持される、字消し具容器１。」（第３頁第４欄第１３〜４７行、図面参照。）の発明が、
　刊行物２には、
「未使用の修正塗料転写テープ３を巻装する供給リール４と連結されて筒体２に回動可能に設置された供給リールギア１０と、使用後の修正塗料転写テープ３を巻取る巻き上げリール５に連結されて上記筒体２に回動可能に設置され、上記供給リールギア１０に噛み合って上記供給リールギア１０と同一の方向へ回転される巻き上げリールギア１１と、
　修正塗料転写テープ３を筒体２の先端の開口６から突出させてなる転写ヘッド９を具備する、字消し具１。」（第６頁下から第９行〜第７頁第９行参照。）の発明が、
　刊行物３には、
「ハウジング１には、前後の開口の間に、長孔開口部１６が形成されており、カセット４には上記長孔開口部１６に係止される押しボタン１４が形成されている舌状バネ１３が形成されており、それにより、上記カセット４は、所定距離で前後方向へ移動可能および上記ハウジング１に着脱可能であり、
　舌状貼着部材７は、キャリア１７上に配置され、作動位置でキャリア１７を介してハウジング１内に確実に支持される、塗膜転写具。」（第３欄第１７行〜第４欄第３５行、発明の名称、図面参照。）の発明が、
　刊行物４には、
「ケース本体３とキャプ体４とからなるケース２と、塗膜転写用ヘッドＨと繰出しリール１１、１２が設けられた支持基板１０からなるカートリッジＣを具備し、
　上記塗膜転写用ヘッドＨは、ヘッド本体３０と軸受部３１とからなり、上記軸受部３１は、円弧状断面を有して上部が開放された半円筒状とされ、上記支持基板１０の先端部分に一体的に設けられたヘッド取付け部１３に対して、その軸心まわりに回転可能に取り付けられ、
　ケース本体３とキャプ体４の先端部にそれぞれ設けられた円筒半割部３ｃ，４ｃを一体的に組み合わせた部分（円筒先端部）６に嵌められるキャップ部材６０は、上記円筒先端部６に外嵌される基部６２と、上記塗膜転写用ヘッドＨに回転方向へ一体に嵌合する嵌合部６３とからなり、
　上記キャップ部材６０を回転操作して、上記塗膜転写用ヘッドＨを、縦引き操作位置Ｘと横引き操作位置Ｙの２位置のいずれか一方に位置決め選択することにより、縦引き使用と横引き使用が可能である、塗膜転写具。」（第７欄第２４行〜第８欄第２６行、第１０欄第３１行〜第１１欄第２８行、第１４欄第１０行〜第１６欄第１１行、図面参照。）の発明が、それぞれ記載されていると認められる。
　
3-4.対比・判断
　本件発明と上記刊行物１に記載された発明とを対比すると、少なくとも、本件発明を特定する事項である「テープガイドの後端部には、＋形状の溝または突起から成る第１結合部が形成されており、上記胴体の前端部には、＋形状の突起または溝から成り、上記第１結合部に係合可能な第２結合部が形成されており、それにより、上記テープガイドは所定角度回動させて着脱可能である」点が、上記刊行物１には記載されておらず示唆もされていないから、本件発明は、上記刊行物１に記載された発明とは上記の点で相違する。
　上記相違点を検討すると、
　上記刊行物１〜３には、テープガイド（刊行物１、２に記載の「転写ヘッド９」、刊行物３に記載の「舌状貼着部材７」）が着脱可能である点の記載はなく、
　上記刊行物４に記載された発明は、ケースの円筒先端部６に嵌められ、テープガイド（塗膜転写用ヘッドＨ）に回転方向へ一体に嵌合するキャップ部材６０を回転操作して、テープガイド（塗膜転写用ヘッドＨ）を胴体（支持基板１０）に対して回動するものであり、テープガイド（塗膜転写用ヘッドＨ）を胴体（支持基板１０）に回動可能に取り付けることを必須の構成とするものであるから、＋形状の溝または突起から成る第１結合部と、＋形状の突起または溝から成る第１結合部に係合可能な第２結合部による結合構造が周知であっても、テープガイドを胴体に着脱可能とすると共に上記結合構造を採用して上記相違点の構成とすることは、当業者が容易に想到し得るものではない。
　そして、本件発明は、上記相違点により、「修正作業時にケース２１０をつかむ姿勢を変えようとする場合にはテープガイド２３１を離脱させて９０度回動させた後、更に組み立てれば良い」（本件訂正明細書段落【００２２】参照。）ものである。
　したがって、本件発明は、上記刊行物１〜４に記載された発明に基いて当業者が容易に発明をすることができたものではないから、本件発明の特許は、特許法第２９条第２項の規定に違反してされたものではない。
　
3-5.むすび
　以上のとおりであるから、特許異議の申立ての理由によっては本件請求項１に係る発明についての特許を取り消すことはできない。
　また、他に本件請求項１に係る発明についての特許を取り消すべき理由を発見しない。　
　よって、結論のとおり決定する。
【異議決定日】
平成１３年３月１５日（２００１．３．１５）
【訂正の要旨】
　本件特許第２９８０２３８号の訂正事項は、以下のとおりである。
《１》明りょうでない記載の釈明及び特許請求の範囲の減縮を目的として、特許明細書の特許請求の範囲を、以下のように訂正する。
（１）訂正事項ａ
　特許請求の範囲の請求項１を次のとおり訂正する。
「【請求項１】所定テープが巻き取られる第１ロールおよび第２ロールと、前後の開口を通じて前後方向に開放されたケースと、上記前側の開口から突出できるテープガイドを備え、ロール設置部が形成されている胴体と、上記第１ロールと連結されて上記ロール設置部に回動可能に設置された内接板と、上記第２ロールに連結されて上記ロール設置部に回動可能に設置され、上記内接板に噛み合って上記内接板と同一の方向へ回転されるピニオンと、を具備する修正テープの保持器において、
　上記ケースには、上記前後の開口の間に、第１貫通溝と第２貫通溝が前後方向に並んで形成されており、上記胴体には、上記第１貫通溝に係止される第１突起と上記第２貫通溝に挿し込まれる第２突起とが形成されている弾性アームが形成されており、それにより、上記胴体は、所定距離で前後方向へ移動可能および上記ケースに着脱可能であり、
　上記ロール設置部の外周部には貫通孔が形成されており、上記内接板は上記ロール設置部の一方の側面に設置され、上記貫通孔を通じて上記内接板の外周部は上記ロール設置部の他方の側面に開放されており、上記ピニオンは上記ロール設置部の上記他方の側面に設置されており、上記テープガイドの後端部には、＋形状の溝または突起から成る第１結合部が形成されており、上記胴体の前端部には、＋形状の突起または溝から成り、上記第１結合部に係合可能な第２結合部が形成されており、それにより、上記テープガイドは所定角度回動させて着脱可能であることを特徴とする修正テープの保持器。」
（２）訂正事項ｂ
　特許請求の範囲の請求項２を削除する。
《２》明りようでない記載の釈明を目的として、特許明細書の発明の詳細な説明を以下のように訂正する。
（１）訂正事項ｃ
　段落【０００９】の記載を以下のとおり訂正する。
「　【課題を解決するための手段】
　本発明の目的は、所定テープが巻き取られる第１ロールおよび第２ロールと、前後の開口を通じて前後方向に開放されたケースと、上記前側の開口から突出できるテープガイドを備え、ロール設置部が形成されている胴体と、上記第１ロールと連結されて上記ロール設置部に回動可能に設置された内接板と、上記第２ロールに連結されて上記ロール設置部に回動可能に設置され、上記内接板に噛み合って上記内接板と同一の方向へ回転されるピニオンと、を具備する修正テープの保持器において、
　上記ケースには、上記前後の開口の間に、第１貫通溝と第２貫通溝が前後方向に並んで形成されており、上記胴体には、上記第１貫通溝に係止される第１突起と上記第２貫通溝に挿し込まれる第２突起とが形成されている弾性アームが形成されており、それにより、上記胴体は、所定距離で前後方向へ移動可能および上記ケースに着脱可能であり、
　上記ロール設置部の外周部には貫通孔が形成されており、上記内接板は上記ロール設置部の一方の側面に設置され、上記貫通孔を通じて上記内接板の外周部は上記ロール設置部の他方の側面に開放されており、上記ピニオンは上記ロール設置部の上記他方の側面に設置されており、上記テープガイドの後端部には、＋形状の溝または突起から成る第１結合部が形成されており、上記胴体の前端部には、＋形状の突起または溝から成り、上記第１結合部に係合可能な第２結合部が形成されており、それにより、上記テープガイドは所定角度回動させて着脱可能であることを特徴とする修正テープの保持器により達成可能である。」
（２）訂正事項ｄ
　段落【００１２】の記載を削除する。
（３）訂正事項ｅ
　段落【００１６】の「このロール設置部２３４の周囲には」との記載を、「このロール設置部２３４の外周部には」と訂正する。
（４）訂正事項ｆ
　段落【００１９】の「内接板２４０の一側は」との記載を、「内接板２４０の外周部は」と訂正する。
（５４）【発明の名称】
修正テープの保持器
（５７）【特許請求の範囲】
　【請求項１】　所定テープが巻き取られる第１ロールおよび第２ロールと、
前後の
前後方向に
前側の
から
　上記ケース
に
上記前後の開口の間に、
前後方向に
、
り、
　
上記ロール設置部の外周部には貫通孔が形成されており、上記内接板は上記ロール設置部の一方の側面に設置され、上記貫通孔を通じて上記内接板の外周部は上記ロール設置部の他方の側面に開放されており、上記ピニオンは上記ロール設置部の上記他方の側面に設置されており、上記テープガイドの後端部には、＋形状の溝または突起から成る第１結合部が形成されており、上記胴体の前端部には、＋形状の突起または溝から成り、上記第１結合部に係合可能な第２結合部が形成されており、それにより、上記テープガイドは所定角度回動させて着脱可能であ
【発明の詳細な説明】
　【０００１】
　【発明の属する技術分野】
　本発明は修正テープの保持器に関し、特に紙面に誤記部分がある場合、修正液が乾燥した状態で塗布されている被膜テープをその部分に押し当てて誤記部分に修正液が被覆されるようにすることにより、必要な形態に修正することができる修正テープの保持器に関する。
　【０００２】
　【従来の技術】
　一般的に、修正テープは、開口を有する所定形態のケースと、ケース内部に所定位置で回動可能に設置された少なくとも一対のロール（ｒｏｌｌ）と、ロールに巻き取られている被膜テープと、開口を通じて外側へ突出して被膜テープの移動をガイドし、必要な場合、被膜テープを紙面に押し当てることができるようにするテープガイド等から成っている。このような修正テープと関連して添付した図１を参照して、従来の修正テープを説明する。
　【０００３】
　図１は、従来の修正テープの一例を示す分解斜視図である。図１には従来の修正テープ１００が示されている。図示の通り、修正テープ１００はケース１１０を備えている。このケース１１０の前側端と後側端には開口１１１，１１２が夫々形成されている。このケース１１０の上面一側には係止孔１１３が形成されており、側面一側には使用程度を確認するための観測孔１１４が形成されている。更に、後側面には必要によってポケット等に挿すことができるようにするためのクリップ１１５が取り付けられている。このようなケース１１０は、被膜テープ１２０と各種部品を内部に収容して保護し、更に必要によって容易に分解できるようにするためのものである。
　【０００４】
　図示の通り、ケース１１０下側には、ケース１１０内部に取り付けられる胴体１３０が示されている。この胴体１３０は、被膜テープ１２０の移動を案内するためのテープガイド１３１を備えている。このテープガイド１３１は、前側へ長く突出しており、ケース１１０の後側開口１１２に挿し込まれ、前側開口１１１を通じて外側へ突出して、被膜テープ１２０を押し当てることができるようにする役割も果たす。このようなテープガイド１３１は、弾性力に優れた良質の材料を用いなければならない。このテープガイド１３１の前側には、嵌合具１３２が図示されている。この嵌合具１３２は、テープガイド１３１が挿し込まれる貫通孔を備えており、テープガイド１３１に嵌合されて被膜テープ１２０が右側または左側へ離脱されないようにする役割を果たす。テープガイド１３１の後側にはロール設置部１３４が形成されている。このロール設置部１３４は、略円形を成しており、その周囲に弾性アーム１３５が夫々形成されている。この弾性アーム１３５は、胴体１３０をケース１１０に容易に着脱できるようにするためのもので、係止孔１１３に係止される係止顎１３６を備えている。
　【０００５】
　胴体１３０の両側には、第１ロール１４０と第２ロール１５０が夫々図示されている。この第１ロール１４０と第２ロール１５０は、胴体１３０のロール設置部１３４の両側面に夫々回動可能に設置される部分である。図示の通り、第１ロール１４０の一側面には第１ギア１６０が形成されており、ここに第１軸１６２が設置されている。この第１軸１６２を介して第１ロール１４０が設置される。第１ロール１４０は、用いられていない被膜テープ１２０が巻き取られる部分である。更に、ロール設置部１３４には第２軸１７２が設置されている。この第２軸１７２を介して、第２ロール１５０がロール設置部１３４の他側面に所定位置で回転可能に設置され、その反対側端に第２ギア１７０が結合される。第２ロール１５０は、使用後の空テープ１２２が巻き取られる部分である。
　【０００６】
　即ち、第１軸１６２に第１ギア１６０と第１ロール１４０を、第２軸１７２に第２ロール１５０と第２ギア１７０を夫々組み立てた後、被膜テープ１２０をテープガイド１３１の先端にかけ、嵌合具１３２を嵌めた後、胴体１３０の弾性アーム１３５をそっと押圧した状態でケース１１０に挿し込むと、係止孔１１３に係止されながら組み立てられる。この状態でテープガイド１３１の先端は前側開口１１１に突出し、修正テープ１００を使用することができるようになる。使用しない場合には前側端を後側へ引っ張ると、２点鎖線で示した通り移動し、被膜テープ１２０は保護されるようになる。
　【０００７】
　【発明が解決しようとする課題】
　このような従来の修正テープ１００においては、第１軸１６２と第２軸１７２との間の距離が十分に確保されなければならないため、胴体１３０とケース１１０が相対的に大きくならなければならない。そればかりでなく、テープガイド１３１が胴体１３０に一体に取り付けられているため、胴体１３０全体を相対的に高価な良質の材質を用いて製造しなければならないので、単価が高くなる。また、修正作業が一方向でのみ可能であるという欠点もある。
　【０００８】
　本発明の目的は、空間活用度を高めることにより、相対的にその大きさを縮小できるようにし、胴体をテープガイドとは異なる材質のものを用いて製造できるようにするのみならず、場合によっては使用者が望む姿勢でつかむ方向を変えることができるようにする修正テープの保持器を提供することにある。
　【０００９】
　【課題を解決するための手段】
　本発明の目的は、所定テープが巻き取られる第１ロールおよび第２ロールと、
前後の
前後方向に
前側の
から
　上記ケース
に
上記前後の開口の間に、
前後方向に
、
り、
　
上記ロール設置部の外周部には貫通孔が形成されており、上記内接板は上記ロール設置部の一方の側面に設置され、上記貫通孔を通じて上記内接板の外周部は上記ロール設置部の他方の側面に開放されており、上記ピニオンは上記ロール設置部の上記他方の側面に設置されており、上記テープガイドの後端部には、＋形状の溝または突起から成る第１結合部が形成されており、上記胴体の前端部には、＋形状の突起または溝から成り、上記第１結合部に係合可能な第２結合部が形成されており、それにより、上記テープガイドは所定角度回動させて着脱可能であ
　【００１０】
　【００１１】
　【００１２】
　【００１３】
　【発明の実施の形態】
　以下、添付した図面を参照して本発明の望ましい実施形態を詳細に説明する。図２は本発明に係る修正テープの斜視図、図３は図２の修正テープの分解斜視図、図４は第１ロールと第２ロールが結合されている胴体の正面図、図５は第１ロールと第２ロールが結合されている胴体の背面図である。
　【００１４】
　図２乃至図５に示す通り、本発明に係る修正テープ２００はケース２１０を備えている。このケース２１０の前側と後側には開口２１１，２１２が夫々形成されており、互いに貫通されている。このようなケース２１０の上面には第１貫通溝２１３と第２貫通溝２１４が平行に並んで形成されており、側面一側にはポケット等に挿すことができるようにするためのクリップ２１５が形成されている。
　【００１５】
　図示の通り、本発明に係る修正テープ２００は、所定形状の胴体２３０を備えている。この胴体２３０は、後側開口２１２を通じて挿し込まれて前側開口２１１にその先端が突出されるテープガイド２３１を備えている。このテープガイド２３１は、必要によって胴体２３０に着脱できるようにする第１結合部２３２を備えている。この第１結合部２３２は、図示の通り、後側端に＋形状の溝を形成して構成しても良く、逆に＋形状の突出部で構成しても良い。このようにすることにより、テープガイド２３１を、必要によって着脱できるのみならず、９０度回転させた状態で装着することもできる。即ち、使用者が使用し易い姿勢でケース２１０をつかむことができるようになる。
　【００１６】
　図示の通り、胴体２３０の一側には第２結合部２３３が形成されている。この第２結合部２３３は、第１結合部２３２と対応する形態に構成すれば良い。このような胴体２３０には略円形を成すロール設置部２３４が形成されている。このロール設置部２３４の
外周部
　【００１７】
　図３乃至図５から分かる通り、ロール設置部２３４の外側一側にはテープガイド２３１と略平行に配置される弾性アーム２３６が取り付けられている。この弾性アーム２３６は、胴体２３０を容易にケース２１０に着脱できるようにするためのもので、その上面には第１突起２３７と第２突起２３８が所定間隔に夫々設置されている。ここで、第１突起２３７は、第１貫通溝２１３に係止される部分であって、テープガイド２３１の先端が開口２１１の外側へ突出した状態を継続維持できるようにする。また、第２突起２３８は、第２貫通溝２１４に結合される部分であって、胴体２３０の着脱を容易にするのみならず、場合によっては第１突起２３７を第１貫通溝２１３から離脱させて第２貫通溝２１４に係止されるように胴体２３０を後退させることにより、テープガイド２３１の先端がケース２１０内部に入るようにする。ロール設置部２３４の一側面には第１軸２６２が設置されており、他側面には第１軸２６２から所定間隔離れて第２軸２６４が設置されている。この第１軸２６２と第２軸２６４の間隔は従来のものに比べてずっと短くすることができるので、スペース効率を上昇させることができるようになる。換言すると、本発明の修正テープ２００においては、従来と同一サイズであれば、従来のものと比較して相対的に多量の被膜テープ２２０を収容することができる。
　【００１８】
　本発明に係る修正テープ２００は、使用前のテープ２２０が巻き取られている第１ロール２４５と使用後の空テープ２２２が巻き取られる第２ロールを備えている。第１ロール２４５には所定半径の内周面を有する内接板２４０が連結されており、第２ロール２５５にはピニオン２５０が連結されている。内接板２４０の内周面とピニオン２５０の外周面にはギア歯２４２を夫々形成しても良く、場合によっては、図７に示す通り、Ｏ−リング２４２ａをピニオン２５０の外周面または内接板２４０の内周面、もしくはそれらの両方に取り付けても良い。このような内接板２４０は、補助具２４６を利用して第１軸２６２に取り付けるのが好ましい。
　【００１９】
　即ち、第１軸２６２に結合される内接板２４０の
外周部
　【００２０】
　場合によっては第１軸２６２を介してロール設置部２３４の一側面に内接板２４０を回動可能に取り付け、同一側面即ち内接板２４０とロール設置部２３４との間に内接板２４０に噛み合うよう両側に全て突出した第２軸を介してピニオン２５０を取り付けることもできる。この場合、貫通孔２３５は必要でない。
　【００２１】
　即ち、第１軸２６２に内接板２４０を、第２軸２６４にピニオン２５０を夫々組み立てて、テープガイド２３１を取り付けた状態で、胴体２３０の下部と上部の弾性アーム２３６をそっと押圧した状態で後側の開口２１２を通じてケース２１０に押し込むと、第１突起２３７は第１貫通溝２１３に、第２突起２３８は第２貫通溝２１４に夫々結合され、図２に示す通りの修正テープ２００が完成する。この状態で修正しようとする部分にテープガイド２３１の先端を押圧して移動させると、修正作業をすることができるようになる。修正テープ２００を使用しない場合には、弾性アーム２３６を押圧して後側へ引っ張って胴体２３０を後側へ移動させると、第１突起２３７は、第１貫通溝２１３から離脱して第２貫通溝２１４に係合される。これに従ってテープガイド２３１の先端もケース２１０の内部に入るようになる。場合によっては、第２ロール２５５に被膜テープ２２０が巻き取られるようにし、第１ロール２４５に使用後の空テープ２２２が巻き取られるようにすることもできる。
　【００２２】
　被膜テープ２２０を全て使用した後、被膜テープ２２０を新しいものと取り替えようとする場合には、弾性アーム２３６をもっと押圧した状態で後側へ引っ張ると、胴体２３０はケース２１０から完全に離脱するようになる。その後、第１ロール２４５と第２ロール２５５を取り替えれば良い。それのみでなく、場合によっては胴体２３０全体を取り替えることもできる。修正作業時にケース２１０をつかむ姿勢を変えようとする場合にはテープガイド２３１を離脱させて９０度回動させた後、更に組み立てれば良い。
　【００２３】
　図６は、胴体を後側へ移動させてテープガイドの先端をケース内部に隠した状態を示す斜視図である。図２の状態で弾性アーム２３６の第２突起２３８をそっと押圧した後、後側へ引っ張ると、第１突起２３７は、第１貫通溝２１３から離脱して第２貫通溝２１４へ移動すると共に、胴体２３０も後側へ移動して、図６に示す通りの状態になる。即ち、テープガイド２３１の先端とそこに係止されていた被膜テープ２２０は開口２１１を通じてケース２１０内部に入るようになって、ごみや異物が被膜テープ２２０に付着しないようになる。必要な場合には更に第２突起２３８を押圧して前側へ押すと、胴体２３０は前進してテープガイド２３１の先端は開口２１１の前側へ突出するようになる。
　【００２４】
　図７は、ピニオンにＯ−リングを取り付けた状態を示している。図７に示す通り、内接板２４０に噛み合うピニオン２５０の外周面にＯ−リング２４２ａを取り付けて、摩擦力により回動力が伝達されるようにすることもできる。場合によってＯ−リング２４２ａは、内接板２４０の内周面にのみ取り付けたり、またはピニオン２５０の外周面と内接板２４０の内周面の両方に取り付けることもできる。更に、ピニオン２５０はゴムを用いて作るのが望ましいが、ゴムの代りに摩擦力が大きい他の材質を材料として作っても良い。図７に示す通り、Ｏ−リング２４２ａを使用すると、ギア歯２４２を形成する場合に発生する第１ロールと第２ロールとの間の不適切な回転比を多少緩和することができる。
　【００２５】
　【発明の効果】
　以上の説明から分かる通り、本発明に係る修正テープの保持器においては、内接板とギアを利用して軸間の距離を縮小することにより、その大きさを相対的に縮小することができ、テープガイドを胴体から分離できるようにして、互いに異なる材質を用いることができるようにすることにより、単価を減らすことができ、必要な場合には好みによりつかむ姿勢を変えることができるようにする効果を得ることができる。
【図面の簡単な説明】
　【図１】
　従来の修正テープの一例を示す分解斜視図である。
　【図２】
　本発明に係る修正テープの斜視図である。
　【図３】
　図２の修正テープの分解斜視図である。
　【図４】
　第１ロールと第２ロールが結合されている胴体の正面図である。
　【図５】
　第１ロールと第２ロールが結合されている胴体の背面図である。
　【図６】
　胴体を後側へ移動させてテープガイドの先端をケース内部に隠した状態を示す斜視図である。
　【図７】
　ピニオンにＯ−リングを取り付けた状態図である。
　【符号の説明】
　２００：修正テープ　　　２１０：ケース
　２１１，２１２：開口　　２１３：第１貫通溝
　２１４：第２貫通溝　　　２１５：クリップ
　２２０：被膜テープ　　　２２２：空テープ
　２３０：胴体　　　　　　２３１：テープガイド
　２３２：第１結合部　　　２３３：第２結合部
　２３４：ロール設置部　　２３５：貫通孔
　２３６：弾性アーム　　　２３７：第１突起
　２３８：第２突起　　　　２４０：内接板
　２４２：ギア歯　　　　　２４２ａ：Ｏ−リング
　２４５：第１ロール　　　２４６：補助具
　２５０：ピニオン　　　　２５５：第２ロール
　２６２：第１軸　　　　　２６４：第２軸